(57)【要約】【課題】原稿サイズの検知に必要な記憶容量を低減して読出し時間を短縮させつつ、原稿サイズの検知精度を向上させる。【解決手段】画素それぞれの光電変換結果を補正する基準として、光源が照射した光を反射させる白基準部材と、白基準部材が反射させた光に基づいて、複数の画素の光電変換結果をそれぞれ補正する基準の代替えとなる擬似データを、予め定められた複数の画素からなる画素領域毎に生成する生成部と、生成部が生成した擬似データの画素領域毎の代表値を記憶する代表値記憶部と、代表値記憶部が記憶した代表値に基づいて、擬似データを再生する再生部と、再生部が再生した擬似データに基づいて、白基準部材が反射させた光を受光した画素の少なくともいずれかの光電変換結果を正規化することにより、原稿の有無の判定基準を作成する正規化部とを有する。【選択図】図９
2015222874.tif 000002
【特許請求の範囲】
【請求項１】
主走査方向に配列された複数の画素を備え、前記画素毎に光源が照射した光の反射光を、読取データとなる電気信号に光電変換する光電変換素子と、
前記画素それぞれの光電変換結果を補正する基準として、前記光源が照射した光を反射させる白基準部材と、
前記白基準部材が反射させた光に基づいて、前記複数の画素の光電変換結果をそれぞれ補正する基準の代替えとなる擬似データを、予め定められた複数の前記画素からなる画素領域毎に生成する生成部と、
前記生成部が生成した前記擬似データの前記画素領域毎の代表値を記憶する代表値記憶部と、
前記代表値記憶部が記憶した代表値に基づいて、前記擬似データを再生する再生部と、
前記再生部が再生した前記擬似データに基づいて、前記白基準部材が反射させた光を受光した前記画素の少なくともいずれかの光電変換結果を正規化することにより、原稿の有無の判定基準を作成する正規化部と、
前記判定基準に基づいて、予め定められた位置における原稿の有無を検出することにより、原稿のサイズを判定する判定部と、
を有することを特徴とする画像読取装置。
【請求項２】
前記代表値記憶部は、
電源がオフにされる前に、前記代表値を不揮発性領域に記憶し、
前記再生部は、
電源がオンにされた後に、前記擬似データを再生すること
を特徴とする請求項１に記載の画像読取装置。
【請求項３】
前記光電変換素子の出力に対し、増幅、黒レベル補正及びＡＤ変換の少なくともいずれかの処理を行う信号処理部と、
電源がオンにされた後に、前記白基準部材が反射させた光に基づいて、前記信号処理部が行う処理に対して調整を行う調整部と、
前記調整部が調整を行った後に、前記信号処理部の処理結果に基づいて、原稿の読取りデータに対してシェーディング補正を行うシェーディング補正部と、
前記シェーディング補正部が最後にシェーディング補正を行った結果に基づいて、前記代表値記憶部が記憶する代表値を補正する補正部と、
をさらに有することを特徴とする請求項１又は２に記載の画像読取装置。
【請求項４】
前記補正部は、
すでに前記代表値記憶部が記憶している代表値と、最後の前記白基準部材の読取りデータの代表値との比に基づいて、前記代表値記憶部が新たに記憶する代表値を補正すること
を特徴とする請求項３に記載の画像読取装置。
【請求項５】
前記補正部は、
前記比が、予め定められた値以上である場合、又は予め定められた値以下である場合には、前記代表値記憶部が記憶する代表値を補正しないこと
を特徴とする請求項４に記載の画像読取装置。
【請求項６】
前記擬似データの前記画素領域毎の代表値は、前記擬似データの前記画素領域毎の最大値であること
を特徴とする請求項１乃至５のいずれか１項に記載の画像読取装置。
【請求項７】
前記画素領域の数は１つであること
を特徴とする請求項１乃至６のいずれか１項に記載の画像読取装置。
【請求項８】
前記代表値記憶部は、
予め定められた初期値を最初に記憶していること
を特徴とする請求項１乃至７のいずれか１項に記載の画像読取装置。
【請求項９】
前記判定部は、
予め定められた１か所以上の位置における所定画素数のパッチ領域からの反射光に基づいて、原稿のサイズを判定すること
を特徴とする請求項１乃至８のいずれか１項に記載の画像読取装置。
【請求項１０】
前記画素領域は、前記パッチ領域と同じ領域であること
を特徴とする請求項９に記載の画像読取装置。
【請求項１１】
前記判定部は、
前記白基準部材が反射させた光に対する前記複数の画素それぞれの光電変換結果が記憶されている場合、前記判定基準に替えて、前記複数の画素それぞれの光電変換結果に基づいて、原稿のサイズを判定すること
を特徴とする請求項１乃至１０のいずれか１項に記載の画像読取装置。
【請求項１２】
請求項１乃至１１のいずれか１項に記載の画像読取装置と、
前記画像読取装置が読取った画像を記録媒体に形成する画像形成部と
を有することを特徴とする画像形成装置。
【請求項１３】
主走査方向に配列された複数の画素を備えた光電変換素子が、前記画素毎に光源が照射した光の反射光を、読取データとなる電気信号に光電変換する工程と、
前記画素それぞれの光電変換結果を補正する基準として、前記光源が照射した光を反射させる白基準部材が反射させた光に基づいて、前記複数の画素の光電変換結果をそれぞれ補正する基準の代替えとなる擬似データを、予め定められた複数の前記画素からなる画素領域毎に生成する工程と、
生成した前記擬似データの前記画素領域毎の代表値を記憶する工程と、
記憶した代表値に基づいて、前記擬似データを再生する工程と、
再生した前記擬似データに基づいて、前記白基準部材が反射させた光を受光した前記画素の少なくともいずれかの光電変換結果を正規化することにより、原稿の有無の判定基準を作成する工程と、
前記判定基準に基づいて、予め定められた位置における原稿の有無を検出することにより、原稿のサイズを判定する工程と、
を含む画像読取方法。
【発明の詳細な説明】
【技術分野】
【０００１】
本発明は、画像読取装置、画像形成装置及び画像読取方法に関する。
【背景技術】
【０００２】
画像読取装置は、原稿読取に先立って、原稿領域（読取可能領域）をプレスキャンすることにより、原稿サイズを検知するものが知られている。また、画像読取装置は、原稿を読取る場合に、光源の照度むら等を補正するために白基準板の読取りを行なって原稿読取データを正規化するシェーディング補正を行っている。原稿サイズの検知においては、原稿読取ほどの厳密なシェーディング補正は不要である。そこで、原稿サイズの検知の高速化のために、白基準板を読み取らず、過去に取得して保持しておいた白基準板の読取データを用いてシェーディング補正を行うことが知られている。
【０００３】
さらに、近年の低電力化要求により、ユーザーが画像読取装置を長時間使用しない場合、画像読取装置の一部の電源をオフにして待機する省エネモード機能を搭載することが一般的となっている。そして、画像読取装置は、省エネモードからの高速な復帰が望まれている。
【０００４】
特許文献１には、原稿サイズ検出動作では、既に補正データ格納部に格納されている取得済補正データを用いてシェーディング補正を実行し、画像読み取り動作では、新たに取得した新規補正データを用いてシェーディング補正を実行する画像読取装置が開示されている。
【発明の概要】
【発明が解決しようとする課題】
【０００５】
しかしながら、従来は、原稿サイズ検出動作に必要なメモリの容量が多く、メモリからの読出し動作にも長時間を要するという問題があった。
【０００６】
本発明は、上記に鑑みてなされたものであって、原稿サイズの検知に必要な記憶容量を低減して読出し時間を短縮させつつ、原稿サイズの検知精度を向上させることができる画像読取装置、画像形成装置及び画像読取方法を提供することを目的とする。
【課題を解決するための手段】
【０００７】
上述した課題を解決し、目的を達成するために、本発明は、主走査方向に配列された複数の画素を備え、前記画素毎に光源が照射した光の反射光を、読取データとなる電気信号に光電変換する光電変換素子と、前記画素それぞれの光電変換結果を補正する基準として、前記光源が照射した光を反射させる白基準部材と、前記白基準部材が反射させた光に基づいて、前記複数の画素の光電変換結果をそれぞれ補正する基準の代替えとなる擬似データを、予め定められた複数の前記画素からなる画素領域毎に生成する生成部と、前記生成部が生成した前記擬似データの前記画素領域毎の代表値を記憶する代表値記憶部と、前記代表値記憶部が記憶した代表値に基づいて、前記擬似データを再生する再生部と、前記再生部が再生した前記擬似データに基づいて、前記白基準部材が反射させた光を受光した前記画素の少なくともいずれかの光電変換結果を正規化することにより、原稿の有無の判定基準を作成する正規化部と、前記判定基準に基づいて、予め定められた位置における原稿の有無を検出することにより、原稿のサイズを判定する判定部と、を有する。
【発明の効果】
【０００８】
本発明によれば、原稿サイズの検知に必要な記憶容量を低減して読出し時間を短縮させつつ、原稿サイズの検知精度を向上させることができるという効果を奏する。
【図面の簡単な説明】
【０００９】
【図１】図１は、実施形態にかかる画像読取装置の概要を示す図である。
【図２】図２は、光電変換素子の周辺の機能を示すブロック図である。
【図３】図３は、画像処理部が有する機能を示すブロック図である。
【図４】図４は、画像読取装置の全体動作を示すフローチャートである。
【図５】図５は、画像読取装置が自動調整として行う処理を示すフローチャートである。
【図６】図６は、スキャン動作の第１例を示すフローチャートである。
【図７】図７は、原稿サイズ検知処理の第１例を示すフローチャートである。
【図８】図８は、パッチ領域の位置を示す図である。
【図９】図９は、スキャン動作の第２例を示すフローチャートである。
【図１０】図１０は、原稿サイズ検知処理の第２例を示すフローチャートである。
【図１１】図１１は、全画素からの全ての白基準板読取データを記憶する場合に必要な容量を示す図である。
【図１２】図１２は、代表値記憶部が白基準板読取データの代表値を画素領域毎に記憶する場合に必要な容量を示す図である。
【図１３】図１３は、スキャン動作の第３例を示すフローチャートである。
【図１４】図１４は、原稿サイズ検知処理の第３例を示すフローチャートである。
【図１５】図１５は、原稿サイズ検知処理の第４例を示すフローチャートである。
【図１６】図１６は、画像形成装置の構成を示す図である。
【発明を実施するための形態】
【００１０】
以下に添付図面を参照して、例えば画像形成装置が有する画像読取装置の実施形態を説明する。図１は、実施形態にかかる画像読取装置１０の概要を示す図である。画像読取装置１０は、スキャナ１００と自動原稿給送装置（ＡＤＦ）１２０とを有する。
【００１１】
スキャナ１００は、光源１０２からの照射光によって撮像対象物である原稿を照明し、その原稿からの反射光をイメージセンサである光電変換素子４０が読取データとなる電気信号に光電変換して、原稿の画像データを読取る。このスキャナ１００は、図１に示すように、上面に原稿を載置するコンタクトガラス１０１を備えている。さらに、このスキャナ１００は、原稿露光用の例えばＬＥＤを有する光源１０２及び第１反射ミラー１０３からなる第１キャリッジ１０６と、第２反射ミラー１０４及び第３反射ミラー１０５からなる第２キャリッジ１０７とを備えている。
【００１２】
また、このスキャナ１００は、第３反射ミラー１０５で反射された光を光電変換素子４０に結像させるためのレンズユニット１０８を備えている。さらに、このスキャナ１００は、光電変換素子４０の画素それぞれの光電変換結果、及び読み取り光学系等による各種の歪みを補正する基準として、光源１０２が照射した光を反射させる基準白板等の白基準部材１１３と、シートスルー読取用スリット１１５も備えている。白基準部材１１３は、光源１０２によって照明可能であり、原稿照明位置となるコンタクトガラス１０１及びシートスルー読取用スリット１１５とは、異なる位置に設けられている。
【００１３】
光電変換素子４０は、基板１１０に実装されており、コンタクトガラス１０１上に載置された原稿又はシートスルー読取用スリット１１５を通過する原稿と、白基準部材１１３のいずれからの反射光も入射光とすることが可能にされている。
【００１４】
スキャナ１００の上部には、ＡＤＦ１２０が搭載されており、このＡＤＦ１２０をコンタクトガラス１０１に対して開閉できるように、図示しないヒンジ等が設けられている。
【００１５】
ＡＤＦ１２０は、複数枚の原稿からなる原稿束を載置可能な原稿載置台としての原稿トレイ１２１を備えている。また、このＡＤＦ１２０は、原稿トレイ１２１に載置された原稿束から原稿を１枚ずつ分離して、シートスルー読取用スリット１１５へ向けて自動給送する給送ローラ１２２を含む分離・給送手段も備えている。
【００１６】
スキャナ１００は、走査時には第１キャリッジ１０６及び第２キャリッジ１０７が図示しないステッピングモータによって駆動されて副走査方向Ａに移動する。また、画像読取装置１０は、シートスルーによる原稿読取り時には、第１キャリッジ１０６及び第２キャリッジ１０７がシートスルー読取用スリット１１５の下へ移動する。そして、画像読取装置１０は、ＡＤＦ１２０に載置された原稿を給送ローラ１２２によってＢの方向へ搬送することにより、シートスルー読取用スリット１１５の位置において原稿を読取っていく。
【００１７】
図２は、光電変換素子（イメージセンサ）４０の周辺のハードウェア構成を示すブロック図である。光電変換素子４０は、主走査方向に配列された複数の画素（図示せず）を備え、画素毎に光源が照射した光の反射光を、読取データとなる電気信号に光電変換する。そして、光電変換素子４０は、光電変換の結果であるアナログ画像データを信号処理部４２に対して出力する。信号処理部４２は、アナログ画像データに対して例えばサンプルホールド処理、増幅、黒レベル補正、Ａ／Ｄ変換などの信号処理を施し、信号インターフェース部４４に対して出力する。
【００１８】
信号インターフェース部４４は、デジタル画像データをより適切な伝送パターンに変換して画像処理部５へ出力する。画像処理部５は、ＣＰＵ５０及びメモリ５２を有し、入力されたデジタル画像データに対して各種画像処理を施す。メモリ５２は、例えばＲＡＭ、ＲＯＭ及びＮＶＲＡＭ（Non  Volatile  RAM）などを含む。また、調整部４６は、電源がオンにされた後に、白基準部材１１３が反射させた光に基づいて、信号処理部４２が行う処理に対して調整を行う。
【００１９】
なお、光電変換素子４０、信号処理部４２、信号インターフェース部４４及び調整部４６は、例えば１チップに集積される。画像処理部５は、例えばハードウェアによって構成され、ＣＰＵ５０によってプログラムを実行する。ただし、これらの構成は、任意に組み合わされてもよい。
【００２０】
図３は、画像処理部５が有する機能を示す機能ブロック図である。図３に示すように、画像処理部５は、生成部５００、代表値記憶部５０２、再生部５０４、正規化部５０６、判定部５０８、シェーディング補正部５１０及び補正部５１２を有する。
【００２１】
生成部５００は、白基準部材１１３が反射させた光に基づいて、光電変換素子４０の複数の画素の光電変換結果をそれぞれ補正する基準の代替えとなる擬似データを、予め定められた複数の画素からなる画素領域毎に生成する。
【００２２】
代表値記憶部５０２は、生成部５００が生成した擬似データの画素領域毎の代表値を記憶する。例えば、擬似データの画素領域毎の代表値は、擬似データの画素領域毎の最大値である。代表値は、最小値、平均値又は中間値などであってもよい。代表値記憶部５０２は、電源がオフにされる前に、代表値を不揮発性領域（例えばＮＶＲＡＭ）に記憶する。代表値記憶部５０２は、画像読取装置１０の出荷時などに、予め定められた初期値を最初に記憶していてもよい。
【００２３】
再生部５０４は、代表値記憶部５０２が記憶した代表値に基づいて、擬似データを再生する。例えば、再生部５０４は、電源がオンにされた後に、擬似データを再生する。
【００２４】
正規化部５０６は、再生部５０４が再生した擬似データに基づいて、白基準部材１１３が反射させた光を受光した画素の少なくともいずれかの光電変換結果を正規化することにより、原稿の有無の判定基準を作成する。
【００２５】
判定部５０８は、正規化部５０６が作成した判定基準に基づいて、予め定められた位置における原稿の有無を検出することにより、原稿のサイズを判定する。例えば、判定部５０８は、予め定められた１か所以上の位置における所定画素数のパッチ領域（図１０参照）からの反射光に基づいて、原稿のサイズを判定する。また、判定部５０８は、白基準部材１１３が反射させた光に対する複数の画素それぞれの光電変換結果が記憶されている場合、正規化部５０６が作成した判定基準に替えて、複数の画素それぞれの光電変換結果に基づいて、原稿のサイズを判定する。
【００２６】
シェーディング補正部５１０は、調整部４６が調整を行った後に、信号処理部４２の処理結果に基づいて、原稿の読取りデータに対してシェーディング補正を行う。
【００２７】
補正部５１２は、シェーディング補正部５１０が最後にシェーディング補正を行った結果に基づいて、代表値記憶部５０２が記憶する代表値を補正する。例えば、補正部５１２は、すでに代表値記憶部５０２が記憶している代表値と、最後の白基準部材１１３の読取りデータの代表値との比に基づいて、代表値記憶部５０２が新たに記憶する代表値を補正する。また、補正部５１２は、代表値の比が、予め定められた値以上である場合、又は予め定められた値以下である場合には、代表値記憶部５０２が記憶する代表値を補正しない。
【００２８】
次に、画像読取装置１０の動作について詳述する。図４は、画像読取装置１０の主電源がオンにされてから各種処理を行うまでの全体動作を示すフローチャートである。画像読取装置１０は、主電源がオンにされた後、最初に初期設定を行う（Ｓ１００）。画像読取装置１０は、自動調整（Ｓ１０２：図５参照）を行った後に待機状態となる。
【００２９】
画像読取装置１０は、原稿サイズ検知の実行指示があった場合（Ｓ１０４：Ｙｅｓ）には原稿サイズ検知処理を行い（Ｓ１０６）、スキャン（画像読取）の実行指示があった場合（Ｓ１０８：Ｙｅｓ）にはスキャンを行い（Ｓ１１０）、省エネルギーモード（省エネ）への移行の指示があった場合（Ｓ１１２：Ｙｅｓ）には、省エネへ移行する（Ｓ１１４）。画像読取装置１０は、実行指示がない場合には待機状態である。
【００３０】
なお、原稿サイズ検知の実行指示は、ＡＤＦ１２０の開閉を検知するセンサが、開から閉への変化を検知することなどによって行われる。スキャンの実行指示は、ユーザーのスキャン実行ボタン押下を検出することにより行われる。省エネ移行の実行指示は、ユーザー操作がないまま所定の時間が経過した場合、又はユーザーが省エネ移行指示を出した場合に行われる。
【００３１】
待機状態となった画像読取装置１０は、省エネからの復帰指示があった場合（Ｓ１１６：Ｙｅｓ）には、省エネ復帰時の初期設定を行い（Ｓ１１８）、Ｓ１０４の処理に戻る。また、画像読取装置１０は、省エネからの復帰指示がない場合（Ｓ１１６：Ｎｏ）には、待機状態を継続する。
【００３２】
なお、省エネからの復帰の実行指示は、ユーザーの操作、例えば任意のボタン押下やＡＤＦ１２０の開閉、ＡＤＦ１２０への原稿セット等を検出した場合に行われる。
【００３３】
図５は、画像読取装置１０が自動調整として行う処理を示すフローチャートである。以下、図５に示した処理を自動調整と記すことがある。画像読取装置１０は、自動調整の処理を開始すると、まず白基準板（白基準部材１１３）を読取る（Ｓ２００）。画像読取装置１０は、白基準部材１１３を読取った結果に応じて、光源１０２の光量を変更（調整）する（Ｓ２０２）。
【００３４】
光量調整では、光電変換素子４０の出力が飽和しない範囲で最大の光量となるように、光源１０２を設定する。また、光量調整は、光源１０２の個体差、環境（温度等）、経時劣化等による光量変動を補正する機能も兼ねている。例えば、画像読取装置１０は、デフォルト光量で白基準部材１１３を読み取り、光電変換素子４０の出力値と目標値を比較して係数を演算し、光源１０２の光量を変更する。光量変更方法の一例として、光源１０２の駆動電流のＤＣレベルを変更する、又はＰＷＭ調光でパルス幅を変更するなどの方法がある。
【００３５】
次に、画像読取装置１０は、白基準板（白基準部材１１３）を読取る（Ｓ２０４）。画像読取装置１０は、白基準部材１１３を読取った結果に応じて、例えば信号処理部４２がゲインを変更（調整）する（Ｓ２０６）。ゲイン調整は、例えば信号処理部４２のＡＤＣのダイナミックレンジを超えない範囲で最大のゲインを設定する。画像読取装置１０は、デフォルトゲインで白基準部材１１３を読み取り、光電変換素子４０の出力値と目標値を比較してゲインを演算し、設定する。
【００３６】
そして、画像読取装置１０は、メモリ５２のＮＶＲＡＭなどの不揮発性メモリに調整値を保存する（Ｓ２０８）。なお、画像読取装置１０は、光源光量調整とゲイン調整の他にノイズ補正や黒オフセット調整等を行ってもよい。
【００３７】
図６は、画像読取装置１０のスキャン動作の第１例を示すフローチャートである。画像読取装置１０は、スキャン（画像読取）を行う場合、まず、直前の原稿サイズ検知結果、又はユーザーからの原稿サイズ指定によって原稿サイズを確定させる（Ｓ３００）。
【００３８】
次に、画像読取装置１０は、白基準部材１１３を読み取って（Ｓ３０２）から原稿の読取（Ｓ３０４）を行い、それぞれの読取データ（白基準板読取データと原稿読取データ）を画像処理部５に伝送する（Ｓ３０６）。
【００３９】
画像処理部５は、伝送された白基準板読取データを用いてシェーディングデータを生成し、保持する（Ｓ３０８）。さらに、画像処理部５は、その後の原稿サイズ検知処理に備えて、シェーディングデータをメモリ５２の不揮発性メモリに保存する（Ｓ３１０）。
【００４０】
そして、シェーディング補正部５１０がシェーディングデータを用いて原稿読取データのシェーディング補正を行うこととなる。なお、画像読取装置１０は、ＡＤＦ１２０を用いたシートスルー連続スキャンを行う場合、生産性向上のために白基準部材１１３の読み取りを毎回ではなく間欠的に行う場合もある。
【００４１】
図７は、画像読取装置１０の原稿サイズ検知処理の第１例を示すフローチャートである。画像読取装置１０は、例えば省エネからの復帰直後に、原稿サイズ検知処理の第１例を実施する。画像読取装置１０は、シェーディングデータをメモリ５２の不揮発性メモリから読み出して保持する（Ｓ４００）。
【００４２】
次に、画像読取装置１０は、プレスキャンを行って図８に示した原稿領域（読取可能領域）の所定位置にあるパッチ領域６０を読み取る（Ｓ４０２）。画像読取装置１０は、パッチ領域の読取データを画像処理部５に伝送し（Ｓ４０４）、画像処理部５がシェーディング補正を実行する（Ｓ４０６）。
【００４３】
その後、画像読取装置１０は、プレスキャンの読取りデータを所定の閾値と比較して各パッチ位置の原稿有無を判定し（Ｓ４０８）、原稿サイズを判定して（Ｓ４１０）、原稿サイズ判定結果を所定箇所に対して通知する（Ｓ４１２）。
【００４４】
例えば、図８に示すように、パッチＡとパッチＢの２ヶ所のパッチ領域に対し、パッチＡに原稿が有り、パッチＢに原稿が無い場合、判定部５０８は、パッチＡとパッチＢの間に原稿の縁があると判断し、原稿サイズを判定する。
【００４５】
従来は、シェーディングデータを全て保存するために、大容量の不揮発性メモリが必要であった。また、従来は、不揮発性メモリから全てのシェーディングデータを読み出すために、読出し時間が長くなっていた。特に、省エネ（省エネルギーモード）からの復帰においては高速な復帰が望ましく、原稿サイズ検知準備が遅れたために原稿サイズ検知ができなかった場合は影響が大きい。例えばユーザーがスキャン実行を指示したときに、ユーザーが原稿サイズ検知を実施したつもりでも、実施ができていなかった場合には、正しくスキャンを実行することができず、改めて原稿サイズ検知又は原稿サイズ指定が必要となる。
【００４６】
次に、画像読取装置１０のスキャン動作の第２例及び原稿サイズ検知処理の第２例について説明する。なお、スキャン動作の第２例及び原稿サイズ検知処理の第２例については、図３に示した画像処理部５の各部が処理を行う。例えば、原稿サイズ検知のための読取動作では、所定のパッチ領域における原稿の有無を判断できればよいため、シェーディング補正による各画素の読取値の厳密な正規化は不要である。
【００４７】
図９は、画像読取装置１０のスキャン動作の第２例を示すフローチャートである。なお、図９に示した処理のうち、図６に示した処理と実質的に同じものには、同一の符号が付してある。図９に示すように、画像読取装置１０は、Ｓ３２０において、生成部５００が白基準板読取データから擬似読取データ（擬似データ）を生成する。
【００４８】
そして、画像読取装置１０は、Ｓ３２２において、擬似読取データの一部を代表値記憶部５０２が代表値として記憶（保存）する。代表値記憶部５０２は、例えばメモリ５２に含まれる不揮発性メモリであってもよい。
【００４９】
図１０は、画像読取装置１０の原稿サイズ検知処理の第２例を示すフローチャートである。画像読取装置１０は、例えば省エネからの復帰直後に、原稿サイズ検知処理の第２例を実施する。画像読取装置１０は、再生部５０４が擬似読取データの一部（代表値）をメモリ５２の不揮発性メモリ（代表値記憶部５０２）から読み出す（Ｓ５００）。
【００５０】
次に、画像読取装置１０は、再生部５０４が代表値から擬似読取データを再生して保持する（Ｓ５０２）。
【００５１】
次に、画像読取装置１０は、プレスキャンを行って図８に示した原稿領域（読取可能領域）の所定位置にあるパッチ領域６０を読み取る（Ｓ５０４）。画像読取装置１０は、パッチ領域の読取データを正規化部５０６に伝送し（Ｓ５０６）、正規化部５０６が擬似読取データを基準にしてパッチ領域読取データを正規化する（Ｓ５０８）。なお、正規化部５０６は、パッチ領域読取データを用いて擬似読取データを補正することにより、正規化を行ってもよい。
【００５２】
その後、画像読取装置１０は、プレスキャンの読取りデータを所定の閾値と比較して各パッチ位置の原稿有無を判定し（Ｓ５１０）、原稿サイズを判定して（Ｓ５１２）、原稿サイズ判定結果を所定箇所へ通知する（Ｓ５１４）。
【００５３】
なお、不揮発性メモリからの読み出しデータは、一度行えば電源をオフしない限り揮発性メモリに保持しておけばよく、必ずしも原稿サイズ検知を実施する度に不揮発性メモリから読み出す必要はない。
【００５４】
図１１は、全画素からの全ての白基準板読取データを記憶する場合に必要な容量（メモリ６００の数）を示す図である。図１１において、横軸は光電変換素子４０の画素の配列方向を示し、縦軸は白基準板読取値を示している。従来のように、原稿領域（読取可能領域の主走査方向）の全てのシェーディングデータを不揮発性メモリに保存する場合、光電変換素子４０の画素毎のデータを不揮発性メモリに保存する。例えばＡ３サイズの原稿を６００ｄｐｉで読み取る場合、約７０００画素のデータを不揮発性メモリに保存することになる。
【００５５】
図１２は、代表値記憶部５０２が白基準板読取データの代表値を画素領域毎に記憶する場合に必要な容量（メモリ６００の数）を示す図である。画像処理部５は、代表値記憶部５０２が擬似読取データの代表値を記憶する場合、全画素からの全ての白基準板読取データを記憶する必要がない。つまり、代表値記憶部５０２は、白基準板読取データから生成した擬似読取データの一部のみを記憶するので、必要なメモリ容量が最小限に抑えられる。
【００５６】
例えば、図１２に示すように、原稿領域（読取可能領域の主走査方向）を３つの画素領域に分割した場合、代表値記憶部５０２は、３つの画素領域それぞれの代表値（例えば最大値）のみを記憶する。この場合、再生部５０４は、原稿サイズ検知処理時に、これら３つの値を読み出して擬似読取データを再生する。
【００５７】
したがって、画像読取装置１０は、不揮発性メモリの容量を大幅に抑制できるとともに、特に省エネルギーモードからの復帰直後の不揮発性メモリからのデータ読み出し時間を抑制することができる。
【００５８】
次に、画像読取装置１０のスキャン動作の第３例及び原稿サイズ検知処理の第３例について説明する。スキャン動作の第３例及び原稿サイズ検知処理の第３例では、画素領域を１つとする。つまり、ここでは、原稿領域（読取可能領域の主走査方向）を分割することなく、代表値は１つ（擬似読取データは原稿領域の全域で一律の値）である。
【００５９】
図１３は、画像読取装置１０のスキャン動作の第３例を示すフローチャートである。なお、図１３に示した処理のうち、図６に示した処理と実質的に同じものには、同一の符号が付してある。
【００６０】
図１３に示すように、画像読取装置１０は、Ｓ３３０において、第１代表値が第２代表値よりも大きいか否かを判定する。ここで、第１代表値は、自動調整時の白基準板読取データの代表値（ここでは最大値）とする。また、第２代表値は、スキャン時の白基準板読取データの代表値（ここでは最大値）とする。
【００６１】
第１代表値が第２代表値よりも大きい場合（Ｓ３３０：Ｙｅｓ）には、画像処理部５は、例えば第１代表値に対する第２代表値の比を算出し、算出結果を係数とする（Ｓ３３２）。第１代表値が第２代表値よりも大きい場合、スキャン時に光量が低下していると推測される。つまり、画像処理部５は、係数が小さくなるので、光量低下を補正する。
【００６２】
第１代表値が第２代表値以下である場合（Ｓ３３０：Ｎｏ）には、画像処理部５は、光量増加を補正せず、係数を“１”に設定する（Ｓ３３４）。第１代表値が第２代表値以下である場合、光量の増加が推測される。これは、簡易な最大値検出等を行っているために光量変動の推測が誤っているリスクを考慮したものである。誤って光量増加と推測したが実際には増加しておらずパッチ読取値が減少した場合、原稿の有るパッチ領域を原稿無しであると誤判定するリスクがあるため、係数の上限を“１”としている。この係数の上限は“１”に限ったものではなく、また上限がなくてもよい。原稿の無いパッチ領域を原稿有りと誤判定する場合は、外乱光による影響などであり、過補正となっても誤判定のリスクは小さいが、同様に係数の下限があってもよい。
【００６３】
画像処理部５は、算出した比（係数）に所定の基準値（初期値）を乗じて擬似読取データの値とする（Ｓ３３６）。また、画像処理部５は、単純な比の算出だけでなく、黒オフセットを調整する演算を行ってもよいし、算出した比に所定の基準値（初期値）を乗じてもよい。また、画像処理部５は、算出した比に初期値を乗じるのではなく、第１代表値と第２代表値の差を初期値に対して加算、又は減算してもよい。これにより、ゲイン調整時と現在との間で生じている光源１０２の短期光量変動を補正することができる。
【００６４】
また、擬似読取データは、一律の値でなく、白基準板読取データを近似したデータが画像読取装置１０の製造時に保存され、それらに上記の比が乗じられてもよい。また、所定パッチ領域毎に適切な擬似読取データが設定されてもよく、それ以外の領域はダミーデータが設定されてもよい。さらに、所定パッチ領域の範囲内で各々の代表値が一律に設定されてもよい。また、画素領域は、パッチ領域と同じ領域であってもよい。所定パッチ領域以外の領域の読取データは、原稿サイズ検知に寄与しない読取データであるため、ダミーデータで正規化されてもよい。
【００６５】
画像処理部５は、擬似読取データの値をメモリ５２の不揮発性メモリに保存する（Ｓ３３８）。
【００６６】
図１４は、画像読取装置１０の原稿サイズ検知処理の第３例を示すフローチャートである。画像読取装置１０は、例えば省エネからの復帰直後に、原稿サイズ検知処理の第３例を実施する。画像読取装置１０は、再生部５０４が擬似読取データの一部（代表値）をメモリ５２の不揮発性メモリ（代表値記憶部５０２）から読み出す（Ｓ６００）。
【００６７】
次に、画像読取装置１０は、再生部５０４が代表値から擬似読取データを再生して保持する（Ｓ６０２）。具体的には、画素領域が１つ（代表値が１つ）であるため、再生部５０４は、擬似読取データの値を全画素について一律に設定する。
【００６８】
次に、画像読取装置１０は、プレスキャンを行って図８に示した原稿領域（読取可能領域）の所定位置にあるパッチ領域６０を読み取る（Ｓ６０４）。画像読取装置１０は、パッチ領域の読取データを正規化部５０６に伝送し（Ｓ６０６）、正規化部５０６が擬似読取データを基準にしてパッチ領域読取データを正規化する（Ｓ６０８）。
【００６９】
その後、画像読取装置１０は、プレスキャンの読取りデータを所定の閾値と比較して各パッチ位置の原稿有無を判定し（Ｓ６１０）、原稿サイズを判定して（Ｓ６１２）、原稿サイズ判定結果を所定箇所へ通知する（Ｓ６１４）。
【００７０】
次に、画像読取装置１０の原稿サイズ検知処理の第４例について説明する。画像読取装置１０がスキャン終了後もシェーディングデータを保持できる場合は、原稿サイズ検知においても、シェーディングデータを用いてシェーディング補正を実施することにより、精度よく原稿サイズ検知を実施することができるので、擬似読取データを基準とした正規化処理は不要である。
【００７１】
図１５は、画像読取装置１０の原稿サイズ検知処理の第４例を示すフローチャートである。画像読取装置１０は、例えば省エネからの復帰直後に、原稿サイズ検知処理の第４例を実施する。画像読取装置１０は、シェーディングデータが保持されているか否かを判定する（Ｓ７００）。画像読取装置１０は、シェーディングデータが保持されている場合（Ｓ７００：Ｙｅｓ）には、Ｓ７０２の処理に進む。また、画像読取装置１０は、シェーディングデータが保持されていない場合（Ｓ７００：Ｎｏ）には、Ｓ７０８の処理に進む。
【００７２】
次に、画像読取装置１０は、プレスキャンを行って図８に示した原稿領域（読取可能領域）の所定位置にあるパッチ領域６０を読み取る（Ｓ７０２）。画像読取装置１０は、パッチ領域の読取データを伝送し（Ｓ７０４）、画像処理部５がパッチ領域読取データに対してシェーディング補正を実施する（Ｓ７０６）。
【００７３】
画像読取装置１０は、再生部５０４が擬似読取データの一部（代表値）をメモリ５２の不揮発性メモリ（代表値記憶部５０２）から読み出す（Ｓ７０８）。
【００７４】
次に、画像読取装置１０は、再生部５０４が代表値から擬似読取データを再生して保持する（Ｓ７１０）。
【００７５】
次に、画像読取装置１０は、プレスキャンを行って図８に示した原稿領域（読取可能領域）の所定位置にあるパッチ領域６０を読み取る（Ｓ７１２）。画像読取装置１０は、パッチ領域の読取データを正規化部５０６に伝送し（Ｓ７１４）、正規化部５０６が擬似読取データを基準にしてパッチ領域読取データを正規化する（Ｓ７１６）。
【００７６】
画像読取装置１０は、プレスキャンの読取りデータを所定の閾値と比較して各パッチ位置の原稿有無を判定し（Ｓ７１８）、原稿サイズを判定して（Ｓ７２０）、原稿サイズ判定結果を所定箇所へ通知する（Ｓ７２２）。
【００７７】
次に、画像読取装置１０を有する画像形成装置１について説明する。図１６は、画像形成装置１の構成を示す図である。画像形成装置１は、画像読取装置１０と、給紙部２と、画像形成部３とを備えている。
【００７８】
給紙部２は、用紙サイズの異なる記録媒体を収納する給紙カセット２１，２２と、給紙カセット２１，２２に収納された記録媒体を画像形成部３の画像形成位置まで搬送する各種ローラからなる給紙手段２３とを有している。
【００７９】
画像形成部３は、露光装置３１と、感光体ドラム３２と、現像装置３３と、転写ベルト３４と、定着装置３５とを備えている。画像形成部３は、画像読取装置１０が読取った原稿の画像データに基づいて、露光装置３１により感光体ドラム３２を露光して感光体ドラム３２に潜像を形成し、現像装置３３により感光体ドラム３２に異なる色のトナーを供給して現像するようになっている。そして、画像形成部３は、転写ベルト３４により感光体ドラム３２に現像された像を給紙部２から供給された記録媒体に転写した後、定着装置３５により記録媒体に転写されたトナー画像のトナーを溶融して、記録媒体にカラー画像を定着するようになっている。
【符号の説明】
【００８０】
１      画像形成装置
２      給紙部
３      画像形成部
５      画像処理部
１０    画像読取装置
４０    光電変換素子
４２    信号処理部
４４    信号インターフェース部
４６    調整部
５０    ＣＰＵ
５２    メモリ
６０    パッチ領域
１０２  光源
１１３  白基準部材
５００  生成部
５０２  代表値記憶部
５０４  再生部
５０６  正規化部
５０８  判定部
５１０  シェーディング補正部
５１２  補正部
【先行技術文献】
【特許文献】
【００８１】
【特許文献１】特開２０１３−０６５９７３号公報
【図１】
2015222874.tif 000003
【図２】
2015222874.tif 000004
【図３】
2015222874.tif 000005
【図４】
2015222874.tif 000006
【図５】
2015222874.tif 000007
【図６】
2015222874.tif 000008
【図７】
2015222874.tif 000009
【図８】
2015222874.tif 000010
【図９】
2015222874.tif 000011
【図１０】
2015222874.tif 000012
【図１１】
2015222874.tif 000013
【図１２】
2015222874.tif 000014
【図１３】
2015222874.tif 000015
【図１４】
2015222874.tif 000016
【図１５】
2015222874.tif 000017
【図１６】
2015222874.tif 000018